(57)【要約】【課題】低コストかつ小規模な回路構成で、高周波信号の複数の帯域に対応することが可能な複同調回路およびその複同調回路を搭載したチューナー回路を提供することを目的とする。【解決手段】本発明に係る複同調回路は、可変コンデンサとコイルをそれぞれ含む一次側および二次側同調回路と、一次側同調回路と二次側同調回路とを結合する、コイルを含む結合回路と、一次側および二次側同調回路を形成するコイルのインダクタンスを切り換えるスイッチングダイオードＳＤ１，ＳＤ２とを備え、スイッチングダイオードＳＤ１，ＳＤ２は、選局回路から入力されるＨＩＧＨ  ＬＯＷ切換信号に応じて、ＶＨＦ＿ＬＯＷバンドとＶＨＦ＿ＨＩＧＨバンドとで、一次側同調回路、二次側同調回路、および結合回路を形成するコイルのインダクタンスを切り換える。【選択図】        図２
2006166366.tif 000002
【特許請求の範囲】
【請求項１】
入力される高周波信号の所望の帯域を選択して出力する複同調回路において、
可変コンデンサとコイルをそれぞれ含む一次側および二次側同調回路と、
前記一次側同調回路と前記二次側同調回路とを結合し、コイルを含む結合回路と、
前記一次側同調回路、前記二次側同調回路、および前記結合回路を形成するコイルのインダクタンスを切り換えるスイッチ手段と、
を備え、
前記スイッチング手段は、前記高周波信号の第１の帯域と当該第１の帯域より周波数が高い第２の帯域とで、前記一次側同調回路、前記二次側同調回路、および前記結合回路を形成するコイルのインダクタンスを切り換えることを特徴とする複同調回路。
【請求項２】
前記一次側同調回路は、第１の可変コンデンサと、第１のコイルと、および第２のコイルとが並列接続されてなり、
前記二次側同調回路は、第２の可変コンデンサと、第３のコイルと、および第４のコイルとが並列接続されてなり、
前記結合回路は、第５のコイルと第６のコイルとが並列接続されてなり、
前記スイッチ手段は、前記第１の帯域を選択する場合には、前記第２、前記第４、および前記第６のコイルを非導通状態とし、前記第２の帯域を選択する場合には、前記第２、前記第４、および前記第６のコイルを導通状態とすることを特徴とする請求項１に記載の複同調回路。
【請求項３】
前記スイッチ手段は、前記第２および第４のコイルにそれぞれ直列に接続された第１および第２のスイッチングダイオードからなり、
前記第６のコイルは、前記第１のスイッチングダイオードと前記第２のコイルの接続点と、前記第２のスイッチングダイオードと前記第４のコイルの接続点間に接続されており、
前記スイッチング手段は、前記第１の帯域を選択する場合には、前記第１および第２のスイッチングダイオードがＯＦＦ状態となって、前記第２、前記第４、および前記第６のコイルを非導通状態とし、前記第２の帯域を選択する場合には、前記第１および第２のスイッチングダイオードがＯＮ状態となって、前記第２、前記第４、および前記第６のコイルを導通状態とすることを特徴とする請求項２に記載の複同調回路。
【請求項４】
前記第１の帯域はＶＨＦのローチャネル、前記第２の帯域はＶＨＦのハイチャネルであることを特徴とする請求項１〜請求項３のいずれか１つに記載の複同調回路。
【請求項５】
入力される高周波信号を増幅して出力する高周波増幅回路と、
前記高周波増幅回路から入力される高周波信号の所望の帯域を選択して出力する複同調回路と、
局部発振信号を出力する局部発振回路と、
前記複同調回路から入力される高周波信号と、前記局部発振回路から入力される局部発振信号とを混合して、中間周波数信号を出力するミクサ回路と、
所望のチャンネルを選択する選局回路と、
を備え、
前記複同調回路は、
可変コンデンサとコイルをそれぞれ含む一次側および二次側同調回路と、
前記一次側同調回路と前記二次側同調回路とを結合し、コイルを含む結合回路と、
前記一次側同調回路、前記二次側同調回路、および前記結合回路を形成するコイルのインダクタンスを切り換えるスイッチ手段と、
を備え、
前記スイッチング手段は、前記高周波信号の第１の帯域と当該第１の帯域より周波数が高い第２の帯域とで、前記一次側同調回路、前記二次側同調回路、および前記結合回路を形成するコイルのインダクタンスを切り換えることを特徴とするチューナー回路。
【発明の詳細な説明】
【技術分野】
【０００１】
本発明は、複同調回路およびチューナー回路、詳細には、小型化、および低コスト化に適した複同調回路およびその複同調回路を搭載したチューナー回路に関する。
【背景技術】
【０００２】
例えば、特許文献１に示すように、テレビジョン信号を受信するチューナー回路では、周波数帯域によって、ＵＨＦと、ＶＨＦ＿ＬＯＷバンドと、ＶＨＦ＿ＨＩＧＨバンドとに分けて受信するようになっている。図６は、従来のＶＨＦチューナー回路の概略構成を示す図である。従来のＶＨＦチューナー回路は、図６に示すように、アンテナ１００と、ＶＨＦ＿ＬＯＷバンド用可変フィルタ１０１Ａと、ＶＨＦ＿ＬＯＷバンド用高周波増幅器１０２Ａと、ＶＨＦ＿ＬＯＷバンド用複同調回路１０３Ａと、ＶＨＦ＿ＨＩＧＨバンド用可変フィルタ１０１Ｂと、ＶＨＦ＿ＨＩＧＨバンド用高周波増幅器１０２Ｂと、ＶＨＦ＿ＨＩＧＨバンド用複同調回路１０３Ｂとを備えている。
【０００３】
ＶＨＦ＿ＬＯＷバンドのテレビジョン信号を受信する際には、アンテナ１００で受信したテレビジョン信号をＶＨＦ＿ＬＯＷバンド用可変フィルタ１０１Ａで同調し、ＶＨＦ＿ＬＯＷバンド用高周波増幅器１０２Ａで増幅し、ＶＨＦ＿ＬＯＷバンド用複同調回路１０３Ａで同調する。ここで、ＶＨＦ＿ＬＯＷバンド用可変フィルタ１０１ＡとＶＨＦ＿ＬＯＷバンド用複同調回路１０３Ａの同調周波数は、不図示の選局回路から出力される同調電圧Ｖｔによって変化し、受信するチャネルの周波数帯域で同調するようになっている。
【０００４】
他方、ＶＨＦ＿ＨＩＧＨバンドのテレビジョン信号を受信する際には、アンテナ１００で受信したテレビジョン信号をＶＨＦ＿ＨＩＧＨバンド用可変フィルタ１０１Ｂで同調し、ＶＨＦ＿ＨＩＧＨバンド用高周波増幅器１０２Ｂで増幅し、ＶＨＦ＿ＨＩＧＨバンド用複同調回路１０３Ｂで同調する。ここで、ＶＨＦ＿ＨＩＧＨバンド用可変フィルタ１０１ＢとＶＨＦ＿ＨＩＧＨバンド用複同調回路１０３Ｂの同調周波数は、不図示の選局回路から出力される同調電圧Ｖｔによって変化し、受信するチャネルの周波数帯域で同調するようになっている。
【０００５】
図７は、ＶＨＦ＿ＬＯＷバンド用複同調回路１０３Ａの回路構成を示す図である。ＶＨＦ＿ＬＯＷバンド用複同調回路１０３Ａは、図７に示すように、可変コンデンサＶＣ１００Ａ，コイルＬ１００Ａからなる一次側同調回路と、可変コンデンサＶＣ１０１Ａ，コイルＬ１０２Ａからなる二次側側同調回路と、一次側同調回路と二次側同調回路とを誘導結合するコイルＬ１０１Ａとを備えている。
【０００６】
図８は、ＶＨＦ＿ＨＩＧＨバンド用複同調回路１０３Ｂの回路構成を示す図である。ＶＨＦ＿ＨＩＧＨバンド用複同調回路１０３Ｂは、図８に示すように、可変コンデンサＶＣ１００Ｂ，コイルＬ１００Ｂからなる一次側同調回路と、可変コンデンサＶＣ１０１Ｂ，コイルＬ１０２Ｂからなる二次側側同調回路と、一次側同調回路と二次側同調回路とを誘導結合するコイルＬ１０１Ｂとを備えている。
【０００７】
このように、ＶＨＦ＿ＬＯＷバンド用とＶＨＦ＿ＨＩＧＨバンド用とで、複同調回路を別個に設けている理由は、ＶＨＦ＿ＬＯＷバンドとＶＨＦ＿ＨＩＧＨバンドとでは、その帯域周波数の違いから、複同調回路のコイル定数が大幅に異なってしまうため、１つの複同調回路で、ＶＨＦ＿ＬＯＷバンド、ＶＨＦ＿ＨＩＧＨバンドの両帯域に対応することが困難であるためである。
【０００８】
【特許文献１】特開２００２−１１８７９５号公報
【発明の開示】
【発明が解決しようとする課題】
【０００９】
しかしながら、ＶＨＦ＿ＬＯＷバンド用とＶＨＦ＿ＨＩＧＨバンド用とで、複同調回路を別個に設ける構成では、回路構成が大きくなるとともにコストが高くなるという問題がある。
【００１０】
本発明は、上記課題に鑑みてなされたものであり、低コストかつ小規模な回路構成で、高周波信号の複数の帯域に対応することが可能な複同調回路およびその複同調回路を搭載したチューナー回路を提供することを目的とする。
【課題を解決するための手段】
【００１１】
上述した課題を解決し、目的を達成するために、本発明に係る複同調回路は、入力される高周波信号の所望の帯域を選択して出力する複同調回路において、可変コンデンサとコイルをそれぞれ含む一次側および二次側同調回路と、前記一次側同調回路と前記二次側同調回路とを結合し、コイルを含む結合回路と、前記一次側同調回路、前記二次側同調回路、および前記結合回路を形成するコイルのインダクタンスを切り換えるスイッチ手段と、を備え、前記スイッチング手段は、前記高周波信号の第１の帯域と当該第１の帯域より周波数が高い第２の帯域とで、前記一次側同調回路、前記二次側同調回路、および前記結合回路を形成するコイルのインダクタンスを切り換えることを特徴とする。
【００１２】
また、本発明に係るチューナー回路は、入力される高周波信号を増幅して出力する高周波増幅回路と、前記高周波増幅回路から入力される高周波信号の所望の帯域を選択して出力する複同調回路と、局部発振信号を出力する局部発振回路と、前記複同調回路から入力される高周波信号と、前記局部発振回路から入力される局部発振信号とを混合して、中間周波数信号を出力するミクサ回路と、所望のチャンネルを選択する選局回路と、を備え、前記複同調回路は、可変コンデンサとコイルをそれぞれ含む一次側および二次側同調回路と、前記一次側同調回路と前記二次側同調回路とを結合し、コイルを含む結合回路と、前記一次側同調回路、前記二次側同調回路、および前記結合回路を形成するコイルのインダクタンスを切り換えるスイッチ手段と、を備え、前記スイッチング手段は、前記高周波信号の第１の帯域と当該第１の帯域より周波数が高い第２の帯域とで、前記一次側同調回路、前記二次側同調回路、および前記結合回路を形成するコイルのインダクタンスを切り換えることを特徴とする。
【発明を実施するための最良の形態】
【００１３】
以下に添付図面を参照して、この発明に係る複同調回路およびチューナー回路の最良の形態を詳細に説明する。なお、この実施の形態によりこの発明が限定されるものではなく、また、実施の形態の中で説明されている特徴の組み合わせのすべてが発明の解決手段に必要であるとは限らない。また、下記実施の形態における構成要素には、当業者が容易に想定できるものまたは実質的に同一のものが含まれる。
【００１４】
図１は、本発明の一実施例に係るチューナー回路１の一例を示す図である。図１に示すチューナー回路１は、特に、ＶＨＦテレビジョン信号を受信するチューナー回路を示している。チューナー回路１は、図１に示すように、アンテナ１０と、可変フィルタ２０と、高周波増幅器３０と、複同調回路４０と、周波数変換回路５０と、選局回路６０とを備えている。
【００１５】
可変フィルタ２０は、アンテナ１０を介して受信信号を入力し、ＶＨＦ帯域内における所望の帯域を選択して高周波増幅器３０に出力する。高周波増幅器３０は、可変フィルタ２０から入力される受信信号を増幅して複同調回路４０に出力する。複同調回路４０は、高周波増幅器３０から入力される受信信号の所望の帯域を選択して出力する。
【００１６】
周波数変換回路５０は、局部発振信号を出力する局部発振回路５１と、高周波増幅器３０から入力される受信信号と局部発振回路５１から入力される局部発振信号とを混合してＩＦ信号（中間周波数信号）を出力するミクサ回路５２とを備えている。
【００１７】
選局回路６０は、複同調回路４０および局部発振回路５１に同調電圧を出力し、また、複同調回路４０に、ＶＨＦ＿ＬＯＷバンドの信号を受信する回路とＶＨＦ＿ＨＩＧＨバンドの信号を受信する回路とを切り換えるためのＨＩＧＨ＿ＬＯＷ切換信号を出力する。
【００１８】
上記構成のチューナー回路１の受信動作の概略を説明する。受信信号はアンテナ１０を介して入力され、可変フィルタ２０で帯域選択後、高周波増幅回路３０で増幅され、複同調回路４０でさらに帯域選択されて、ミクサ回路５２に入力される。ミクサ回路５２では、局部発振回路５１から出力される局部発信信号と受信信号が混合されて、中間周波数信号（ＩＦ信号）を出力する。複同調回路４０および周波数変換回路５０の同調周波数は、選局回路６０から出力される同調電圧によって変化し、受信するチャネルの周波数帯域で同調するようになっている。また、複同調回路４０は、ＶＨＦ＿ＬＯＷバンドの信号を受信する回路とＶＨＦ＿ＨＩＧＨバンドの信号を受信する回路とが、選局回路６０から出力されるＨＩＧＨ＿ＬＯＷ切換信号で切り換えられる。
【００１９】
図２は、高周波増幅回路３０および複同調回路４０の具体的な構成例を示している。図３は、図２に示す回路のＶＨＦ＿ＬＯＷバンドの信号を受信している場合の等価回路を示している。図４は、図２に示す回路のＶＨＦ＿ＨＩＧＨバンドの信号を受信している場合の等価回路を示している。
【００２０】
図２において、高周波増幅回路３０は、トランジスタＱ１と、バイアス用チョークコイルＬ１とを備えている。トランジスタＱ１は、ドレイン端子からバイアス用チョークコイルＬ１を介してバイアス電圧が供給され、ゲート端子に入力される受信信号を利得倍に増幅して、ドレイン端子から出力する。
【００２１】
複同調回路４０は、直流成分カット用のコンデンサＣ２〜Ｃ６と、一次側同調回路を形成する可変コンデンサＶＣ１（第１の可変コンデンサ），コンデンサＣ７、コイルＬ２（第１のコイル）、Ｌ３（第２のコイル）と、一次側同調回路でスイッチ手段として機能するスイッチングダイオードＤＳ１と、二次側同調回路を形成する可変コンデンサＶＣ２（第２の可変コンデンサ）、コンデンサＣ８、コイルＬ９（第３のコイル）、Ｌ８（第４のコイル）と、二次側同調回路でスイッチ手段として機能するスイッチングダイオードＤＳ２と、一次側同調回路と二次側同調回路とを誘導結合する結合回路を形成するコイルＬ４（第５のコイル）、Ｌ５（第５のコイル）、Ｌ７（第６のコイル）とを備えている。
【００２２】
一次側同調回路では、コンデンサＣ５と接地間に、可変コンデンサＶＣ１およびコンデンサＣ７の直列回路と、コイルＬ２と、スイッチングダイオードＤＳ１およびコイルＬ６の直列回路とが並列接続されている。可変コンデンサＶＣ１とコンデンサＣ７の接続点には、抵抗Ｒ１を介して、選局回路６０から同調電圧が入力される。
【００２３】
二次側同調回路では、コンデンサＣ６と接地間に、可変コンデンサＶＣ２およびコンデンサＣ８の直列回路と、コイルＬ９と、スイッチングダイオードＤＳ２およびコイルＬ９の直列回路とが並列接続されている。可変コンデンサＶＣ２とコンデンサＣ８の接続点には、抵抗Ｒ２を介して、選局回路６０から同調電圧が入力される。
【００２４】
スイッチングダイオードＤＳ１とコイルＬ３の接続点と、スイッチングダイオードＤＳ２とコイルＬ８の接続点間には、コイルＬ７が接続されている。また、スイッチングダイオードＤＳ１，ＤＳ２のアノード間には、直列接続されたコイルＬ４，Ｌ５が接続されている。コイルＬ４，Ｌ５の接続点には、コイルＬ６を介して選局回路６０からＨＩＧＨ＿ＬＯＷ切換信号が入力される。
【００２５】
複同調回路４０は、ＨＩＧＨ＿ＬＯＷ切換信号が「Ｌレベル」のとき、ＶＨＦ＿ＬＯＷバンドの信号を受信する回路に切り換えられ、ＨＩＧＨ＿ＬＯＷ切換信号が「Ｈレベル」のとき、ＶＨＦ＿ＨＩＧＨバンドの信号を受信する回路に切り換えられる。
【００２６】
具体的には、ＶＨＦ＿ＬＯＷバンド受信時には、選局回路６０から「Ｌレベル」のＨＩＧＨ＿ＬＯＷ切換信号がコイルＬ６を介して入力されて、スイッチングダイオードＤＳ１，ＤＳ２には電圧が印加されないためＯＦＦ状態となる。この場合、スイッチングダイオードＤＳ１，ＤＳ２は等価的に無いのと同じになり、コイルＬ３，Ｌ８，Ｌ７は非導通状態になり、図３に示すような等価回路と同じになる。図３に示す回路において、コイルＬ２，可変コンデンサＶＣ１，コンデンサＣ７とからなる１次側同調回路と、コイルＬ９，可変コンデンサＶＣ２，コンデンサＣ８からなる２次側同調回路とが、コイルＬ４，Ｌ５とからなる結合回路で誘導結合されて、ＶＨＦ＿ＬＯＷバンドでの同調特性が得られる。
【００２７】
ＨＩＧＨバンド受信時には、選局回路６０から「Ｈレベル」のＨＩＧＨ＿ＬＯＷ切換信号が入力されて、コイルＬ６，Ｌ４，Ｌ５を電流が通過し、スイッチングダイオードＳＤ１，ＳＤ２はＯＮ状態となる。この場合、コイルＬ３，Ｌ８,Ｌ７は導通状態になり、図４に示すような等価回路と同じになる。図４に示す回路において、コイルＬ３，コイルＬ２，可変コンデンサＶＣ１，コンデンサＣ７とからなる１次側同調回路と、コイルＬ８，コイルＬ９，可変コンデンサＶＣ２，コンデンサＣ８からなる２次側同調回路とが、コイルＬ４，Ｌ５，Ｌ７とからなる結合回路で誘導結合され、ＶＨＦ＿ＨＩＧＨバンドでの同調特性が得られる。この場合のコイルのインダクタンスは、一次側同調回路では、コイルＬ３とコイルＬ２の合成インダクタンス、二次側同調回路では、コイルＬ８とコイルＬ９の合成インダクタンス、結合回路では、コイルＬ４，Ｌ５，Ｌ７の合成インダクタンスとなる。また、ＶＨＦ  ＨＩＧＨバンドでは、各同調回路が、２つのコイルが並列に接続されて１つのコイルを構成しているため、コイルのＱ（尖鋭度）が高くなり、１つのコイルを使用した場合に比して、選択度の高いフィルター特性を得ることができる。
【００２８】
このように、複同調回路４０を形成するコイルのインダクタンスを切り換えることにより、１つの複同調回路で、ＶＨＦ＿ＬＯＷバンドとＶＨＦ＿ＨＩＧＨバンドの両帯域に対応することが可能となる。
【００２９】
図５は、複同調回路４０の同調波形を示す図である。同図において、横軸は周波数、縦軸は振幅を示している。また、同図において、ｍ９，ｍ１２は、ＶＨＦ＿ＬＯＷバンドの同調特性であり、ｍ１３，ｍ１４はＶＨＦ＿ＨＩＧＨバンドの同調特性である。図５に示すように、複同調回路４０は、ＶＨＦ＿ＬＯＷバンドとＶＨＦ＿ＨＩＧＨバンドにおいて、トラッキングが可能となっている。同調特性は、ＶＨＦ＿ＬＯＷバンドとＶＨＦ＿ＨＩＧＨバンドのいずれの帯域においても、イメージトラップ（イメージ周波数帯域抑圧）が良好にでており、そのトラップ位置はトラッキングに応じたスィープが可能である。
【００３０】
以上説明したように、本実施の形態の複同調回路４０によれば、可変コンデンサとコイルをそれぞれ含む一次側および二次側同調回路と、一次側同調回路と二次側同調回路とを結合し、コイルを含む結合回路と、一次側同調回路、二次側同調回路、および結合回路を形成するコイルのインダクタンスを切り換えるスイッチングダイオードＳＤ１，ＳＤ２とを備え、スイッチングダイオードＳＤ１，ＳＤ２は、選局回路６０から入力されるＨＩＧＨ＿ＬＯＷ切換信号に応じて、ＶＨＦ＿ＬＯＷバンドとＶＨＦ＿ＨＩＧＨバンドとで、一次側、二次側同調回路、および結合回路を形成するコイルのインダクタンスを切り換えることとしたので、１つの複同調回路で、ＶＨＦ＿ＬＯＷバンドとＶＨＦ＿ＨＩＧＨバンドの両帯域に対応することができ、ＶＨＦ＿ＬＯＷバンドとＶＨＦ＿ＨＩＧＨバンドで別個に複同調回路を設ける構成に比して、回路規模を小さくでき、省スペースおよび低コストな構成とすることが可能となる。
【００３１】
また、本実施の形態の複同調回路４０によれば、一次側同調回路は、可変コンデンサＶＣ１と、コイルＬ２と、およびコイルＬ３とが並列接続されてなり、二次側同調回路は、可変コンデンサＶＣ２と、コイルＬ９と、およびコイルＬ８とが並列接続されてなり、結合回路は、直列接続されたコイルＬ４，Ｌ５と、コイルＬ７とが並列接続されてなり、スイッチングダイオードＳＤ１，ＳＤ２は、コイルＬ３，Ｌ８にそれぞれ直列に接続されており、コイルＬ７は、スイッチングダイオードＤＳ１とコイルＬ３の接続点と、スイッチングダイオードＤＳ２とコイルＬ８の接続点間に接続されており、ＶＨＦ＿ＬＯＷバンドを選択する場合には、スイッチングダイオードＳＤ１，ＳＤ２がＯＦＦ状態となって、コイルＬ３，Ｌ８，Ｌ７を非導通状態とし、ＶＨＦ＿ＨＩＧＨバンドを選択する場合には、スイッチングダイオードＳＤ１，ＳＤ２がＯＮ状態となって、コイルＬ３，Ｌ８，Ｌ７を導通状態とすることとしたので、簡単な回路構成で、ＶＨＦ＿ＬＯＷバンドとＶＨＦ＿ＨＩＧＨバンドの両帯域に対応することが可能となる。
【００３２】
なお、上記実施の形態では、複同調回路をＶＨＦチューナー回路に適用した場合について説明したが、本発明はこれに限るものではなく、高周波信号から所望のバンドを選択する高周波受信回路に広く適用可能である。また、上記実施の形態では、ＶＨＦテレビジョン信号のＶＨＦ＿ＬＯＷバンドとＶＨＦ＿ＨＩＧＨバンドで、複同調回路のコイルのインダクタンスを切り換える構成としたが、本発明はこれに限られるものではなく、他の高周波信号の異なるバンドを切り換える場合にも本発明は適用可能である。
【産業上の利用可能性】
【００３３】
本発明に係る複同調回路は、高周波信号から所望のバンドを選択する高周波受信回路に広く適用可能であり、特に、テレビジョン信号の受信回路に有用である。
【図面の簡単な説明】
【００３４】
【図１】本発明の一実施例に係るチューナー回路の一例を示す図である。
【図２】複同調回路の具体的な構成を示す回路図である。
【図３】図２に示す回路のＶＨＦ＿ＬＯＷバンドの信号を受信している場合の等価回路である。
【図４】図２に示す回路のＶＨＦ＿ＨＩＧＨバンドの信号を受信している場合の等価回路である。
【図５】複同調回路の同調波形を示す図である。
【図６】従来のＶＨＦチューナー回路の概略構成を示す図である。
【図７】図６のＶＨＦ＿ＬＯＷバンド用複同調回路の回路構成を示す図である。
【図８】図６のＶＨＦ＿ＨＩＧＨバンド用複同調回路の回路構成を示す図である。
【符号の説明】
【００３５】
１  チューナー回路
１０  アンテナ
２０  可変フィルタ
３０  高周波増幅器
４０  複同調回路
５０  周波数変換回路
５１  局部発信回路
５２  ミクサ回路
６０  選局回路
【図１】
2006166366.tif 000003
【図２】
2006166366.tif 000004
【図３】
2006166366.tif 000005
【図４】
2006166366.tif 000006
【図５】
2006166366.tif 000007
【図６】
2006166366.tif 000008
【図７】
2006166366.tif 000009
【図８】
2006166366.tif 000010